(57)【要約】  【課題】トンネル状の空洞を有する蒲鉾型に形成可能なタオル地を用いることで、使用時に柔軟に変形可能で感触がソフトな健康タオルを実現する。  【解決手段】トンネル状の空洞を有する蒲鉾型に形成可能なタオル地の前記蒲鉾型の両端縁を平坦な別の布地に重ねて接合してあるので、そのままタオルとして入浴に使用すると、生地同士の重なりが増減したり柔軟に変形したりするので、肌への感触がソフトで、痒みを抑制でき、治りも早まる。また、トンネル状の空洞に芯材を挿入して硬くして、健康タオルとして使用したり、色々な使い方ができる。前記の蒲鉾型は、一重に限らず、折り返した二重部を折り重ねて計三重とした布地を用いて形成して場合は、さらに柔軟になると共に重量感も増すので、体格の大きな身体を洗う場合に重宝される。【選択図】図１５
2017006685.tif 000002
【特許請求の範囲】
【請求項１】
一重の又は折り返した二重部を一重部と折り重ねて計三重とした布地を用いて、トンネル状の空洞を有する蒲鉾型に形成可能なタオル地の前記蒲鉾型の少なくとも両端縁を平坦な別の布地に重ねて接合したことを特徴とする健康タオル。
【請求項２】
前記蒲鉾型は密接して又は離して配設してあることを特徴とする請求項１に記載の健康タオル。
【請求項３】
前記の蒲鉾型は一つ置き又は二つ置きに高低差を付けてあることを特徴とする請求項１又は請求項２に記載の健康タオル。
【請求項４】
前記の蒲鉾型を平坦な別の布地の両面に設けてあることを特徴とする請求項１、請求項２または請求項３に記載の健康タオル。
【請求項５】
前記蒲鉾型の空洞中に芯材又は芯材のユニットを挿入可能としたことを特徴とする請求項１から請求項４までのいずれかに記載の健康タオル。
【請求項６】
前記の蒲鉾型を２分して空洞を無くしたことを特徴とする請求項１から４までのいずれかに記載の健康タオル。
【請求項７】
前記の蒲鉾型を設けた平坦布地の反対側の面に、片手の入る大きさのポケットを設けたことを特徴とする請求項１から請求項６までのいずれかに記載の健康タオル。ポケットの形状は特に限定されない。
【請求項８】
前記健康タオルの左右両辺の上下に紐状材を取付けるか又は背面に手拭いを着脱可能にして、その両端を両手で持って背中を洗える構成を特徴とする請求項１から請求項７までのいずれかに記載の健康タオル。
【発明の詳細な説明】
【技術分野】
【０００１】
本発明は、トンネル状の空洞を有する蒲鉾型に形成可能なタオル地の前記蒲鉾型の少なくとも両端縁を平坦な別の生地に重ねて接合した健康タオルに関する。
【背景技術】
【０００２】
通常のタオルとは形状が異なり、健康増進に好適な発明が提案されている。例えば、特許文献１のように、タオル生地をたぐり寄せたひだを表面と裏面に設けた発明が提案されている。
【先行技術文献】
【特許文献】
【０００３】
【特許文献１】特開２００８−２７２３９１号
【発明の概要】
【発明が解決しようとする課題】
【０００４】
ところが、特許文献１のような構成では、常に二重でたわしのようになるので、その箇所がより硬くなる。その結果、高齢者や食物アレルギー等のために、全身が痒くなる症状の場合は、かえって痒みが増すという問題が有り、使用を避ける必用が生じる。
本発明の技術的課題は、このような問題に着目し、トンネル状の空洞を有する蒲鉾型に形成可能なタオル地を用いることで、使用時に柔軟に変形可能で感触がソフトな健康タオルを実現する。
【課題を解決するための手段】
【０００５】
本発明の技術的課題は次のような手段によって解決される。請求項１は、一重の又は折り返した二重部を折り重ねて計三重とした布地を用いて、トンネル状の空洞を有する蒲鉾型に形成可能なタオル地の前記蒲鉾型の少なくとも両端縁を平坦な別の布地に重ねて接合したことを特徴とする健康タオルである。前記の蒲鉾型の方向や長さ、サイズは任意であり、特に限定されない。蒲鉾型には、半円筒状も含まれるものとする。また、蒲鉾型又は平坦な別の布地には、不織布や手拭いのような薄い生地も含まれ、また複数枚の布を重ねた構造も含まれる。なお、この別の布地に、その自由な変形を抑制できる生地や発泡シートなどの軟質なシートを重ねてもよい。
【０００６】
請求項２は、前記蒲鉾型は密接して又は離して配設してあることを特徴とする請求項１に記載の健康タオルである。
【０００７】
請求項３は、前記蒲鉾型は一つ置き又は二つ置きに高低差を付けてあることを特徴とする請求項１又は請求項２に記載の健康タオルである。
【０００８】
請求項４は、前記蒲鉾型の空洞中に長形及び／又は短形の芯材又は芯材のユニットを挿入可能としたことを特徴とする請求項１、請求項２又は請求項３に記載の健康タオルである。
【０００９】
請求項５は、平坦な別の布地の両面に前記の蒲鉾型を設けてあることを特徴とする請求項１から請求項４までのいずれかに記載の健康タオルである。
【００１０】
請求項６は、前記の蒲鉾型を２分して空洞を無くした形状を特徴とする請求項１から請求項５までのいずれかに記載の健康タオルである。
【００１１】
請求項７は、前記の蒲鉾型を設けた平坦布地の反対側の面に、片手の入る大きさのポケットを設けたことを特徴とする請求項１から請求項６までのいずれかに記載の健康タオルである。ポケットの形状は特に限定されない。
【００１２】
請求項８は、前記健康タオルの左右両辺の上下に紐状材を取付けるか又は背面に手拭いを着脱可能にして、その両端を両手で持って背中を洗える構成を特徴とする請求項１から請求項７までのいずれかに記載の健康タオルである。
【発明の効果】
【００１３】
請求項１のように、トンネル状の空洞を有する蒲鉾型に形成可能なタオル地の前記蒲鉾型の少なくとも両端縁を平坦な別の布地に重ねて接合してあるので、そのままタオルとして使用したり、トンネル状の空洞に芯材を挿入して硬くして、健康タオルとして使用したり、色々な使い方ができる。そのまま使用する場合は、生地同士の重なりが増減したり柔軟に変形したりするので、肌への感触がソフトで、痒みを抑制でき、治りも早まる。
また、トンネル状の空洞を有する蒲鉾型は、一重に限らず、折り返した二重部を折り重ねて計三重とした布地を用いて形成し場合は、さらに柔軟になると共に重量感も増すので、体格の大きな身体を洗う場合に重宝される。
なお、蒲鉾型に形成する一重の布に代えて二重の布を使用する場合は、表側の布は、肌触りのソフトな材質や洗剤で滑りやすい材質が、肌への損傷が少なく、好ましい。
別の効果として、平坦な布地を重ね縫われて、蒲鉾型に縫い付けるための糸（ミシン目５）と交差して、重ね合うように縫い合わされている、図26（ 2）の表現では横ミシン目52からとミシン目52の間隔は３つの平行線で矩形状の升目32での縫い合わせだが、縫い目と縫い目（ミシン目5 とミシン目5 ）の間隔を広げたり、ミシン目５とミシン目５の間隔を狭めたりして升目状に縫い合わせることもできる。又縫い目52〜52の間隔を広げたり、狭めたりできるが、縫い合わせの線ミシン目５や52を増減させたり布の端部へ移動させたり、又縫い方に変化を加えたり、たとえば波形の線や曲線状に変化を加えると使用感も変化する。
なお、平坦な布地幅より、重ね合わせた、布地の幅は大きめの布地を用いるので、イメージとして蒲鉾型と例示したが、形状は平坦な布地より大きめの布地を用いて、平坦な布地に対し、余幅をもたして縫い合わせる事で、縫い目 5ミシン目と 5ミシン目の間の余幅の分の空洞が出来るが、その空洞は布地故に変形しやすく一定感はない。勿論、濡らすと形状は一変する。縫込みの時に固定した形状や蒲鉾形は一定せず常に変化することを考慮する。
【００１４】
請求項２のように、前記蒲鉾型は密接して又は離して配設してあるので、密接して配設すると生地同士の重なりが増えて柔軟となり、ボリューム感も増す。離して配設すると、生地の重なりが減って肌への感触が硬くなる。
【００１５】
請求項３のように、前記蒲鉾型は一つ置き又は二つ置きに高低差を付けてあるので、高い部位ほど柔軟性が増して容易に変形でき、低い部位は変形し難く、柔軟性が段階的に増す。
【００１６】
請求項４のように、前記蒲鉾型の空洞中に長形及び／又は短形の芯材又は芯材のユニットを挿入可能としたので、感触の硬めのタオルを好む人に好適であり、また蒲鉾型を上にして敷くと、青竹踏の代用として使用できる。その上で寝ると、マッサージ効果を楽しむこともできる。長形の芯材とは、蒲鉾型の長さと同等に長い形状をしており、凹凸を形成すると、青竹踏をより効果的に行える。短形の芯材とは、玉砂利様の長さが幅や高さと同等の形状を指すが、これらの寸法は均一でも、不揃いでもよい。また、密接して又は間隔を置いて離して配置できる。芯材の材質は任意であるが、タオル地が被せてあるので、痛みは少ない。なお、芯材のユニットを形成し、ユニット単位に蒲鉾型に挿入してもよい。
ただし、ロール状に巻いた布を芯材にする場合は、布を強く巻くと硬くなり、弱く巻くと軟らかくなる。
【００１７】
請求項５のように、前記の蒲鉾型を平坦な別の布地の両面に設けてあるので、表裏両面を利用できて使用の効果が倍増し、しかも使いやすい。
【００１８】
請求項６のように、前記の蒲鉾型を２分して空洞を無くした形状にすると、芯材の挿入は不可能となるが、先端の二重の部分が一重になったりで、重なる枚数が減るので、より柔軟になる。また、空洞が無くなるので、洗う際の洗剤の落ちも良くなる。
また、蒲鉾型を形成する布が三重の場合は、図19や図20のように蒲鉾型を２分すると、切り口がフレア状となり、さらに柔軟になると共に重量感も増し、重宝される。
【００１９】
請求項７のように、前記の蒲鉾型を設けた平坦布地の反対側の面に、片手の入る大きさの
ポケットを設けて片手を拡げることにより、意に反して自由に変形して一か所に集まるのを阻止でき、掌を拡げた大きさに広くなる。また、掌を拡げた状態で肌を押圧できるので、効果的に使用できる。
【００２０】
請求項８のように、前記の蒲鉾型を形成可能な健康タオルの左右両辺の上下に紐状材を取付けるか又は背面に手拭いを着脱可能にして、その両端を両手で持って背中を洗える構成としたので、健康タオルだけ有れば背中を洗うことも可能となり、石鹸などの洗剤を節約できる。
【図面の簡単な説明】
【００２１】
【図１】本発明による健康タオルの基本原理を説明する斜視図である。
【図２】図１の健康タオルの正面図である。
【図３】図１の健康タオルの平面図である。
【図４】図１の健康タオルの左側面図である。
【図５】図１の健康タオルの底面図である。
【図６】図１の健康タオルを右上方向から見た斜視図である。
【図７】手拭い状に長い平坦な布地を示す平面図である。
【図８】水に濡れた使用時の状態を示す蒲鉾型の変形状態を示す正面図である。
【図９】蒲鉾型を一つ置きに設けた斜視図である。
【図１０】蒲鉾型を一つ置きに設けた正面図である。
【図１１】一つ置きに蒲鉾型の高低差を設けた正面図である。
【図１２】手拭い状に長い平坦な布地の両面に蒲鉾型を設けた斜視図である。
【図１３】図12の健康タオルの正面図である。
【図１４】図12の健康タオルの左側面図と底面図である。
【図１５】図１の健康タオルを手拭い状に長い平坦な布地の両面に一体化する斜視図である。
【図１６】蒲鉾型の空洞に長形の芯材を挿入した斜視図である。
【図１７】蒲鉾型の空洞に短形の芯材を挿入した斜視図である。
【図１８】間欠的に設けた蒲鉾型を切り開いて２分する方法を例示する正面図である。
【図１９】間欠的に設けた蒲鉾型を全部切り開いて２分した形状の正面図である。
【図２０】連続的に設けた蒲鉾型を全部切り開いて２分した形状の正面図である。
【図２１】Ｘ２方向に蒲鉾型を配設した平面図である。
【図２２】Ｘ２方向に蒲鉾型を複雑に配設した平面図である。
【図２３】掌を拡げて挿入するポケットを背面に設けたり、延長手段を着脱可能とした健康タオルの平面図である。
【図２４】三重ねの布地で蒲鉾型を形成した例や三重ねを２分した場合の切り口のフレア状を示す図である。
【図２５】芯材をユニットにして、蒲鉾型に挿入する例であり、(1) はユニットの側面図、(2) は蒲鉾型の斜視図である。
【図２６】３本の横ミシン目を追加した図面である。（１）は正面図、（２）は平面図、（３）は側面図である。
【発明を実施するための形態】
【００２２】
次に本発明による健康タオルが実際上どのように具体化されるか実施形態を説明する。図１(1) は、本発明の健康タオルの斜視図で、平坦な形状の布地１の上面に、トンネル状の空洞２を有する蒲鉾型３に形成可能なタオル地の前記蒲鉾型３の少なくとも両側縁４を平坦な別のベース布地１に重ねて接合してある。使用時に濡れても、平坦形状がある程度維持されて使いやすいように、(2) に示す柔軟シートＳを裏面に重ねて一体化してもよい。一体化は、ミシンで所々を縫い合わせてもよいし、接着してもよい。
なお、蒲鉾型に形成するタオル地は、形が崩れると蒲鉾型とはならず、特に濡れると自由に変形するタオル地で形成するので、完全な蒲鉾型である必用は無く、環状を半分にし
た形状であれば足りる。
【００２３】
図２は、前記形状を正面から見た図で、トンネル状の空洞２…が見える。図３は、前記形状を上から見た平面図で、ミシン目５が見える。すなわち、前記蒲鉾型の両端縁４を別の布地１に重ねてミシンで縫いつけて接合してある。なお、ミシンによる縫い付け接合に代えて、接着剤による接合や熱圧着なども可能である。
図４は左側面図で、蒲鉾型３のタオル地が見える。図５は底面図で、前記の布地１が見える。また、接合用のミシン目５が見える。図６は、左側から見た斜視図で、タオル地から成る多数の蒲鉾型３…が見える。
【００２４】
図７は、前記のベースとなる布地１の平面図で、図１〜図６のような蒲鉾型３…の部分と同程度の長さでもよいが、80±10ｃｍ程度の手拭いの長さでもよい。使用に際しては、そのままタオルとして使用したり、蒲鉾型部３…に石鹸などの洗剤を付けて入浴用や洗車などの拭き掃除用にソフトなタオルとして使用できる。
蒲鉾型の部分を濡らして使用する場合は、図８に鎖線で示すように倒れたり重なったりして、生地の重なりが増減したり柔軟に変形するので、肌への感触がソフトで、かゆみを抑制でき、治りも早まる。
【００２５】
図９は斜視図、図10は正面図で、蒲鉾型の部分３…を離して設け、十分な間隔ｉ…を設けてある。この間隔ｉの寸法は任意であり、もっと小さくしてもよいし、大きくしてもよい。間隔を小さく配置すると、生地の重なりが増えてより柔軟となり、離して配設すると、生地の重なりが減って肌への感触が硬くなる。
図11の正面図は、前記蒲鉾型３…の高さを一つ置きに交互に高くしたり、低くしてあり、蒲鉾型３が潰れた状態で使用する際に、蒲鉾型３の部分の柔軟性が変わり、変化に富んだ使い方が可能となる。前記の蒲鉾型３を二つ置きに高低差を付けることも可能で、蒲鉾型３の柔軟性がより変化に富んだ感触となる。
【００２６】
図12は、別の布地１の両面に蒲鉾型３…、３′…を設けた実施形態の斜視図であり、真ん中に位置する平坦な布地１は、掴み易いように80±10ｃｍと長い形状を例示してあるが、背中以外を洗う場合は、ベース布地１に接合した蒲鉾型３…のみでも足りる。図13は正面図、図14(1) は左側面図で、長い布地１の下側にも蒲鉾型３′…が見える。底面図を示す図14(2) では、前記の布地１の下側にも蒲鉾型３′…を設けてあり、その両側縁４の接合用ミシン目５が見える。
このように、前記の蒲鉾型３…、３′…を別の布地１の両面に設けてあると、裏表両面のソフトタッチを生かした利用ができ、使用の効果が倍増する。
これに対し、図15のように、手拭い状の別の布地ｔの上下両面に、図１のような片面蒲鉾型３を接合した布地１の少なくとも４隅を糸７で縫い付けたり、接着して一体化してもよい。この場合、図１の裏面シートＳも重ねて一体化すると平坦化が容易である。
【００２７】
図16、図17は、前記の空洞2 ・・・中に長短の芯材６・６′を挿入して硬くした実施形態
の斜視図である。このように、前記蒲鉾型3 ・・・の空洞2 ・・・中に芯材６…・６′…を挿入して、より硬い蒲鉾型にしてあるので、触感の硬めのタオルを好む人に好適であり、また蒲鉾型３を上にして敷くと、青竹踏みの代用として使用できる。その上で寝ると、マッサージ効果を楽しむこともできる。
図16は、長形の芯材６を挿入した例であり、蒲鉾型３の長さと同等に長い形状をしており、凹凸を形成すると、青竹踏をより効果的に行える。図17は、短形の芯材６′を挿入した例であり、玉砂利様の長さが幅や高さと同等の形状を指し、図のように密接して又は間隔を置いて離して配置できる。芯材６、６′の材質は任意であるが、タオル地を被せてあるので、痛みは少ない。
なお、短形の芯材６′が空洞２中で移動しないように、ミシン目Ｍで空洞２を仕切った
り、空洞２の端部の開口をミシン目Ｍで閉じると、芯材６、６′の脱落を阻止できる。
【００２８】
図18は、各蒲鉾型３…を中間で切断して鉛直片８と鉛直片８′に２分し分割する方法であり、２分割状態を正面から見ると図19のように鉛直片８と鉛直片８′との対になる。つまり、蒲鉾型３…を離して設け、この蒲鉾型３…を中間で切断して２分し分割する。ただし、不織布でない限り、切り目でほつれる恐れが有るので、切るのでなく端末処理してある布を、図のように接合してもよい。
図20は、蒲鉾型３…を鎖線のように密に設けてから、鉛直片81と鉛直片81′とに切って２分してある。その結果、隣接した蒲鉾型３の２枚の鉛直布81、81′同士が直接に重なった状態となる。このように、各蒲鉾型３…を２分して空洞を無くした形状にすると、芯材の挿入は不可能となるが、二重の部分が一重になったりで、異なった感触を楽しむことができ、多様化できる。
【００２９】
図21は、蒲鉾型３…を２方向に設けた例であり、左上側の蒲鉾型３…に対し、右下側の蒲鉾型３…が直交している。これに対し図22は、図21のように直交しているが、各部位を小さくし、複雑化してある。
図23は、図１の健康タオルの裏面１に別の布９を重ねてポケットを形成し、使いやすくした例であり、（１）は、網製又は普通の布９の３辺（図のように、４辺目の両端を含んでもよい）を縫い付け固定してあり、この布９の中に片手を挿入して自由に移動したり、指を拡げたりして、図１の健康タオルを平坦に拡げて使用できる。又は（２）のように、手袋状に手指を挿入するポケットＰを裏面１に縫い付け形成してある。従って、片手を挿入すると、図１の健康タオルの蒲鉾型３が自然と広がるので、広い面となり、洗いやすくなる。普通の長い手拭いなどの両端又は全域にポケットＰ・・・を形成すれば、これらのポケットＰ・・・の全部を両手で利用でき、介護の際、或いは高齢者のように動きが不自由なひとが使用する際に好都合である。
【００３０】
なお、マスクのように左右に紐１１・１２を接合してあると、両手の親指を紐１１・１２に掛けて背中も洗浄できる。
（３）は、前記紐１１・１２を着脱可能にした例であり、紐１１・１２を挿通する筒状孔ｈ１、ｈ２を予め形成してある。背中を洗うときは、筒状孔ｈ１、ｈ２の外で予め紐１１・１２の両端のフックｆ同士を掛けて連結し、リング状に形成した後、フックｆ同士を筒状孔ｈ１、ｈ２中に引き込んで隠し、直接背中に当たらないようにしてある。従って、背中を洗うとき以外は、紐１１・１２を外しておける。
【００３１】
図24は、三重の布地で蒲鉾型３を形成した実施形態であり、蒲鉾型３を平面図で表現したのが（２）であり、一定間隔の節状に見える。中心線Ｃの位置で切断した断面図にすると、（１）のように、折り返した二重部１６を一重の布地に折り重ねて計三重１７とした布地を用いて、繰り返し形状の蒲鉾型３を形成し、両側縁４を平坦な別の布地１に重ねて接合してある。このような三重にすると、さらに柔軟になると共に重量感も増すので、体格の大きな身体を洗う場合に重宝される。
中心線Ｃの位置で切断して２分すると、切断口が（３）のようにフレア状となり、自由に変形できるので、より柔軟となる。
なお、蒲鉾型３に形成する一重の布に代えて二重の布を使用する場合は、表側の布は、肌触りのソフトな、或いは洗剤で滑りやすい材質が好ましい。
【００３２】
図25は、芯材のユニットを蒲鉾型に挿入する例である。芯材の種類として、長形や短形のほかに、芯材としての形を保持できない粒状や棒状、パイプ片状などがある。(1) は、短形の芯材としての形を保持できないほどの小石61…の例であり、小石61…を集めて袋Ｂに収納し、蒲鉾型３…に挿入可能なユニットを形成してある。一端又は両端にリングＲを設けておくと、操作用のフックを蒲鉾型の中を貫通して前記リングＲに引っ掛けて、蒲鉾型
中に引き込むことができる。
逆に、蒲鉾型中のユニットを引き出すときは、操作用のフックを前記リングＲに引っ掛けて、引き出すだけで足りる。
従って、芯材の材質としては、石材、硬軟の合成樹脂、木質や竹、ゴム、エッジの無いガラスなどが有る。布を巻いて芯材とすることも可能であり、ソフトな感触が得られる。なお、(1) 図のユニットにさらに布をロール状に巻いてもよい。
芯材を蒲鉾型に挿入すると、入浴時の枕代用として用いることも可能であり、芯材を挿入しない空洞を有し容易に変形可能なタオルは、熱容量が大きいので、半身浴の際に露出した上半身に被って、冷えるのを防ぐのに好都合である。
香りのする材料を少量入れた袋Ｂを蒲鉾型３中に引き込んで、枕の下に敷いて就寝すると、アロマテラピー効果が期待できる。また、芯材部分を腰の下に敷いて寝ると、腰痛者に好都合である。
【産業上の利用可能性】
【００３３】
以上のように、トンネル状の空洞を有する蒲鉾型に形成可能なタオル地の前記蒲鉾型の少なくとも両側縁を平坦な別の布地に重ね接合してあるので、そのままタオルとして使用したり、トンネル状の空洞に芯材を挿入して硬くして、健康用に使用したり、色々な使い方ができる。そのまま使用する場合は、生地の重なりが増減したり柔軟に変形したりするので、肌への感触がソフトで、痒みを抑制でき、治りも早まる。
【符号の説明】
【００３４】
１  平坦な形状のベースとなる布地
２  トンネル状の空洞
３・３′  蒲鉾型
４  蒲鉾型の両側縁
Ｓ  柔軟シート
５  ミシン目
６・６′  長短の芯材
61小石
ｉ  間隔
ｔ  手拭い状の別の布地
７  糸
Ｍ  仕切り用のミシン目
８・８′・81・81′  鉛直片
９  別の布
Ｐ  ポケット
11・12紐
ｈ１、ｈ２  筒状孔
ｆ  フック
Ｃ  中心線
16二重部
17三重部
Ｂ  袋
Ｒ  リング
32  矩形状スペース
52  横ミシン目
【図１】
2017006685.tif 000003
【図２】
2017006685.tif 000004
【図３】
2017006685.tif 000005
【図４】
2017006685.tif 000006
【図５】
2017006685.tif 000007
【図６】
2017006685.tif 000008
【図７】
2017006685.tif 000009
【図８】
2017006685.tif 000010
【図９】
2017006685.tif 000011
【図１０】
2017006685.tif 000012
【図１１】
2017006685.tif 000013
【図１２】
2017006685.tif 000014
【図１３】
2017006685.tif 000015
【図１４】
2017006685.tif 000016
【図１５】
2017006685.tif 000017
【図１６】
2017006685.tif 000018
【図１７】
2017006685.tif 000019
【図１８】
2017006685.tif 000020
【図１９】
2017006685.tif 000021
【図２０】
2017006685.tif 000022
【図２１】
2017006685.tif 000023
【図２２】
2017006685.tif 000024
【図２３】
2017006685.tif 000025
【図２４】
2017006685.tif 000026
【図２５】
2017006685.tif 000027
【図２６】
2017006685.tif 000028